(57)【要約】【課題】上部トレーに陳列した商品が上部トレーの側壁を超えて落下し難い包装箱を提供する。【解決手段】包装箱１６は、胴部を構成する底板２、側壁板３、４、天板５と、閉塞部を構成する内フラップ７、外フラップ８とを備える。側壁板３、４には、下方に延びる第１切断補助線９と、天板５側の外フラップ８の先端よりも一部が下方に位置する第２切断補助線１０ａとが設けられる。各側壁板３、４の内フラップ７には、第２切断補助線１０ａに接続した第３切断補助線１１ａが設けられる。天板５には、側壁板３、４の各第１切断補助線９の上端部に対応する部分の間に延在する折目線部１３が設けられる。【選択図】図１
2019137448.tif 000002
【特許請求の範囲】
【請求項１】
四角筒状の胴部と、
前記胴部の両端を閉塞する一対の閉塞部とを備え、
前記胴部は、底板、前側の側壁板、後側の側壁板、及び天板を順次連ねて構成されており、
前記閉塞部は、前記前側及び前記後側の側壁板の左方及び右方の端縁にそれぞれ連設され、内方に延びる各内フラップと、前記底板及び前記天板の左方及び右方の端縁にそれぞれ連設され、内方に延びて前記内フラップの外側に固定された各外フラップとにより形成される包装箱において、
各側壁板には、該側壁板の上端部における左右方向中間部から下方に延びる第１切断補助線と、該第１切断補助線から該側壁板の左方又は右方の前記端縁に至る第２切断補助線とが設けられ、
該端縁に連設された前記内フラップには、該側壁板の前記第２切断補助線に接続され、該内フラップの先端縁に至る第３切断補助線が設けられ、
前記天板には、前記一対の側壁板双方の前記第１切断補助線の上端部に対応する部分の間に延在する折目線部が設けられ、
前記第２切断補助線の一部は、前記天板に連設された前記外フラップの先端よりも下方に位置することを特徴とする包装箱。
【請求項２】
各第２切断補助線は、該第２切断補助線の最下部から該第２切断補助線の両端まで漸次上方に向かってそれぞれ延びていることを特徴とする請求項１に記載の包装箱。
【請求項３】
各側壁板には、前記第２切断補助線の前記最下部と、指掛用切断補助線とを含んで構成され、該第２切断補助線に沿って該側壁板を切断する際に指を掛けることを可能とする指掛部が設けられることを特徴とする請求項２に記載の包装箱。
【請求項４】
前記第２切断補助線として、各側壁板には、該側壁板の左方及び右方の端縁に至る２つの第２切断補助線が設けられ、前記第３切断補助線は、各側壁板に連設された左方及び右方の前記内フラップに設けられていることを特徴とする請求項１〜３のいずれか１項に記載の包装箱。
【発明の詳細な説明】
【技術分野】
【０００１】
本発明は、包装箱に関する。
【背景技術】
【０００２】
商品の包装箱としての機能と、商品を個別に販売するために商品を展示することができる機能とを有し、商品を包装した状態から商品を展示する状態に容易に移行できる包装箱が提案されている（特許文献１参照）。
【０００３】
この包装箱では、折目線を介して連なった第１の側パネル、底パネル、第２の側パネル及び上パネルがそれらの間の折目線に沿って同じ方向に折り曲げられ、第１の側パネルと上パネルとが接合されている。これにより、包装箱のうちの相互に対向する上下両壁および一対の側壁が構成されている。
【０００４】
また、第１の側パネル及び第２の側パネルの両側から延設された端接合フラップ、並びに底パネル及び上パネルの両側からそれぞれ延設された第１の端フラップ及び第２の端フラップが各自の基部の折目線に沿って内側に折り曲げられている。そして、端接合フラップの外側に第１の端フラップ及び第２の端フラップが重ね合わせられて固定されている。
【０００５】
さらに、第１の側パネル及び第２の側パネル、並びに、それらの両側にある第１の端接合フラップ及び第２の端接合フラップにわたり、それらの上下方向のほぼ中間部に切断補助線が設けられている。また、上パネル及びその両側の第２の端フラップにわたり、それらの幅方向の中間部に切断補助線が設けられている。
【０００６】
商品を展示する状態に移行する場合には、第１の側パネルとその両側にある端接合フラップが切断補助線に沿って切断される。さらに、上パネルの両側の第２の端フラップが、切断補助線に沿って切断される。
【０００７】
この場合、包装箱の上部の半分を、上パネルの切断補助線を折目線として反転させることにより、商品を展示するための上部トレーとして利用される。
【０００８】
この上部トレーの側壁は、第１の側パネルの両側の端接合フラップのうちの切断により下側から分離された上側の部分と、これに固定された上パネルの両側の切断により半分にされた第２の端フラップとで構成される。
【先行技術文献】
【特許文献】
【０００９】
【特許文献１】特開２００８−１７９３７１号公報
【発明の概要】
【発明が解決しようとする課題】
【００１０】
しかしながら、上部トレーに陳列する商品の高さによっては、商品が上部トレーの側壁を超えて落下するおそれがある。
【００１１】
本発明の目的は、かかる従来技術の課題に鑑み、陳列した商品が側壁を超えて落下し難い包装箱を提供することにある。
【課題を解決するための手段】
【００１２】
本発明の包装箱は、
四角筒状の胴部と、
前記胴部の両端を閉塞する一対の閉塞部とを備え、
前記胴部は、底板、前側の側壁板、後側の側壁板、及び天板を順次連ねて構成されており、
前記閉塞部は、前記前側及び前記後側の側壁板の左方及び右方の端縁にそれぞれ連設され、内方に延びる各内フラップと、前記底板及び前記天板の左方及び右方の端縁にそれぞれ連設され、内方に延びて前記内フラップの外側に固定された各外フラップとにより形成される包装箱において、
各側壁板には、該側壁板の上端部における左右方向中間部から下方に延びる第１切断補助線と、該第１切断補助線から該側壁板の左方又は右方の前記端縁に至る第２切断補助線とが設けられ、
該端縁に連設された前記内フラップには、該側壁板の前記第２切断補助線に接続され、該内フラップの先端縁に至る第３切断補助線が設けられ、
前記天板には、前記一対の側壁板双方の前記第１切断補助線の上端部に対応する部分の間に延在する折目線部が設けられ、
前記第２切断補助線の一部は、前記天板に連設された前記外フラップの先端よりも下方に位置することを特徴とする。
【００１３】
この包装箱によれば、第１〜第３切断補助線に沿って各側壁板及び対応する内フラップを切断し、天板を折目線部に沿って折り曲げて折り返すことにより、商品陳列用の上部トレーを形成することができる。
【００１４】
この上部トレーの両側の側壁は、各側壁板のうちの第１切断補助線及び第２切断補助線に沿って切断された部分により構成される。
【００１５】
この第２切断補助線は、少なくともその一部が、天板側の外フラップの先端よりも下方に位置する。このため、包装箱から形成された上部トレーの側壁の高さは、天板側の外フラップの高さ方向の長さより大きくなる。したがって、上部トレー内に陳列される商品が側壁を超えて落下するリスクを低減させることができる。
【００１６】
本発明において、各第２切断補助線は、該第２切断補助線の最下部から該第２切断補助線の両端まで漸次上方に向かってそれぞれ延びていてもよい。
【００１７】
本発明の包装箱では、包装箱における上部トレーを構成する天板側の部分と対向していた底板側の部分は、下部トレーとして商品の陳列に利用することができる。特に、上記構成を備える包装箱では、上部トレーの側壁は、上記の第２切断補助線の形状に対応して中央部が高く、そこから両端に向かって漸次下方に向かって延びる形状を有し、下部トレーの側壁はこれと対称形をなすため、商品陳列に際しての好ましい意匠的効果を得ることができる。
【００１８】
この場合、各側壁板には、前記第２切断補助線の前記最下部と、指掛用切断補助線とを含んで構成され、該第２切断補助線に沿って該側壁板を切断する際に指を掛けることを可能とする指掛部を設けてもよい。
【００１９】
これによれば、前記第２切断補助線の前記最下部又は／及び指掛用切断補助線を切断して、指掛部に指を挿入し、側壁板を外方に引っ張ることにより、第２切断補助線を前記最下部から漸次上方に向かって順次切断していくことができる。
【００２０】
本発明において、前記第２切断補助線として、各側壁板には、該側壁板の左方及び右方の端縁に至る２つの第２切断補助線が設けられ、前記第３切断補助線は、各側壁板に連設された左方及び右方の前記内フラップに設けられてもよい。
【００２１】
この包装箱によれば、上述の上部トレーと同様の上部トレーを、包装箱の左方又は右方の任意の側に形成することができる。
【図面の簡単な説明】
【００２２】
【図１】本発明の一実施形態に係る包装箱の展開図である。
【図２】図２Ａ〜図２Ｄは、図１の包装箱により商品陳列用の上部トレーを形成し、商品を陳列する様子を示す斜視図である。
【図３】図１の包装箱の指掛部の別の例を示す図である。
【発明を実施するための形態】
【００２３】
（ブランクの構成）
図１は、本発明の一実施形態に係るラップラウンド式の包装箱のブランクを示す。この包装箱のブランク１としては、紙製の波状のシートからなる中芯がライナーでラミネートされた段ボール板が一般的に使用される。
【００２４】
段ボール板の目方向は、例えば図１の上下方向に一致している。段ボール板が図１に実線で示されているように打ち抜かれると共に切込線が入れられ、一点鎖線で示されているように切断補助線（例えば、ミシン目により構成されている。）が入れられ、かつ、破線で示されているように折目線が入れられることにより、包装箱に組み立てる前のブランク１が得られる。
【００２５】
ブランク１の図１に示されている側の面は包装箱の内側に相当し、折目線においては内側に向けて谷折りされる。以下、ブランク１については、それによって組み立てられた包装箱における底板側から天板側に向かう方向を上方として説明する。
【００２６】
ブランク１は、それぞれが略矩形状の底板２、前側及び後側の一対の側壁板３及び４、天板５、側壁板４と天板５を結合する接着片６、側壁板３及び４に一対ずつ連設された内フラップ７、並びに底板２及び天板５に一対ずつ連設された外フラップ８を備える。
【００２７】
側壁板３及び４は、底板２の前後の端縁にそれぞれ折目線を介して連設され、該折目線に沿って互いに対向するように上方に折り曲げることが可能となっている。天板５は、前側の側壁板３の上端縁に折目線を介して連設され、後側の側壁板４に向かうように該折目線に沿って底板２に平行に折り曲げることが可能となっている。
【００２８】
接着片６は、後側の側壁板４の先端側の端縁に折目線を介して連設され、該折目線に沿って折り曲げられて天板５に接着することが可能となっている。なお、接着片６は、天板５の先端側の端縁に折目線を介して連設され、該折目線に沿って折り曲げられて後側の側壁板４に接着されるようになっていてもよい。
【００２９】
各対の内フラップ７は、対応する側壁板３又は４の左右の端縁に折目線を介してそれぞれ連設され、互いに該折目線に沿って内方に折り曲げることが可能となっている。各対の外フラップ８は、対応する底板２又は天板５の左右の端縁に折目線を介してそれぞれ連設され、上下から当該折目線に沿って内方にそれぞれ折り曲げることが可能となっている。
【００３０】
各側壁板３、４には、該側壁板３、４の上端縁における左右方向中間部から下方に延びて該側壁板３、４の上下方向中間部に至る第１切断補助線９と、第１切断補助線９の下端部から右方に延びて該側壁板３、４の右側の端縁に至る第２切断補助線１０ａとが設けられる。
【００３１】
各第１切断補助線９は、より具体的には、それが設けられた側壁板３又は４の上端縁における左右方向の中心点から下方に直線状に延びている。各第１切断補助線９の下端部は、例えば、それが設けられた側壁板３又は４の上端縁を基準として、該側壁板３又は４の上下方向サイズの０．３〜０．７倍の範囲の領域に含まれる。
【００３２】
各第２切断補助線１０ａは、その一部が、天板５に連設された外フラップ８の先端よりも下方に位置する。そして、各第２切断補助線１０ａは、その最下部からその両端まで漸次上方に向かってそれぞれ延びていている。
【００３３】
当該最下部は、例えば該第２切断補助線１０ａが設けられた側壁板３又は４の上端縁を基準として、該側壁板３又は４の上下方向サイズの０．５〜０．８倍の範囲の領域に含まれる。また、第２切断補助線１０ａの形状は、例えば左右対称で、滑らかな曲線により構成されるのが好ましい。
【００３４】
各側壁板３、４の右側の端縁に連設された内フラップ７には、該側壁板３、４の第２切断補助線１０ａに接続され、該内フラップ７の先端縁に至る第３切断補助線１１ａが設けられる。各第３切断補助線１１ａは、例えば、それが設けられた内フラップ７の上端縁を基準として、該内フラップ７の上下方向サイズの０．３〜０．７倍の範囲の領域に含まれる。
【００３５】
ただし、各第３切断補助線１１ａは、それが設けられた内フラップ７とこれに接着される外フラップ８とが重ねられて接着される領域に含まれないことが望ましい。すなわち、各第３切断補助線１１ａは、それが設けられた内フラップ７に接着されている２つの外フラップ８の対向する先端縁の間に位置するのが望ましい。
【００３６】
例えば、各第３切断補助線１１ａは、第２切断補助線１０ａに接続する側の端部が、該第２切断補助線１０ａと滑らかに接続するようにやや曲げられているが、他の部分は水平方向に直線状に延びて、内フラップ７の端縁に至る。そして、第３切断補助線１１ａは、該内フラップ７に接着される天板５の外フラップ８の下端縁よりもやや下方に位置する。
【００３７】
また、各側壁板３、４には、それに設けられた第１切断補助線９の下端部から左方に延びて該側壁板３、４の左方側の側縁に至る第２切断補助線１０ｂが設けられる。また、各側壁板３、４の左方側の端縁に連設された内フラップ７には、該側壁板３、４の第２切断補助線１０ｂに接続され、該内フラップ７の先端縁に至る第３切断補助線１１ｂが設けられる。
【００３８】
第２切断補助線１０ｂ及び第３切断補助線１１ｂは、それぞれ上述の第２切断補助線１０ａ及び第３切断補助線１１ａと同様の形態を有する。
【００３９】
各側壁板３、４には、第２切断補助線１０ａに沿って該側壁板３、４を切断する際に指を掛けることを可能とする指掛部１２が設けられる。指掛部１２は、第２切断補助線１０ａの最下部と、この部分にそれぞれの一端が異なる位置で接続する３本の指掛用切断補助線１２ａと、これらの指掛用切断補助線１２ａの他端を接続する指掛用折目線１２ｂとを有する。第２切断補助線１０ｂ側にも、指掛部１２が設けられる。
【００４０】
天板５及び接着片６には、側壁板３及び４の第１切断補助線９の上端部に対応する部分の間に延在する折目線部１３が設けられる。折目線部１３は、相互に平行な一対の折目線により構成される。
【００４１】
該折目線間の間隔は、折目線部１３に沿って折り曲げられる段ボール板の厚さに応じて、段ボール板を折り重ね易いように設定される。この間隔は、例えば、折目線部１３の天板５上の部分では１１ｍｍ程度、接着片６上の部分においては１５ｍｍ程度に設定される。
【００４２】
天板５の折目線部１３に関して対称の左右の位置には、右側の舌片１４ａ及び左側の舌片１４ｂの対が前後方向に一定の間隔を置いて二対設けられる。舌片１４ａ及び１４ｂは、それぞれ開曲線状の切込線１５及び開曲線の両端を結ぶ折目線により画定される。
【００４３】
切込線１５は、略Ｕ字馬蹄形状を有している。該Ｕ字馬蹄形状の幅は、該折目線の長さよりも大きい寸法を有する。すなわち、後述のように天板５を折目線部１３に沿って折り曲げて折り重ねたとき、上側の舌片１４ａを下方に押し下げることにより、舌片１４ａを舌片１４ｂに固定できるようになっている。
（包装箱の組み立て）
ブランク１を用いて図２Ａに示すような包装箱１６を組み立てる方法の一例について説明する。当該一例とは異なる手順に従って包装箱１６が組み立てられてもよい。
【００４４】
まず、底板２に対して側壁板３及び４が垂直に折れ曲がる又は立ち上がるように、底板２と各側壁板３及び４との折目線に沿ってブランク１が谷折りされる。この段階で底板２に商品が載置されてもよい。次に、側壁板３及び４に対して、側壁板３及び４に連設された左右の内フラップ７が垂直に折れ曲がるように、側壁板３及び４と左右の内フラップ７との間の折目線に沿ってブランク１が谷折りされる。
【００４５】
次に、底板２に対して、これに連接設された左右の外フラップ８のそれぞれが垂直に折れ曲がる又は立ち上がるように、底板２と該左右の外フラップ８のそれぞれとの折目線に沿ってブランク１が谷折りされる。これにより、該左右の外フラップ８と、各側壁板３及び４の左右の内フラップ７の下部とが重ね合わせられる。そして、重ね合わせられた部分が接着されることにより包装箱の下部が構成される。
【００４６】
続いて、天板５に対して、これに連接設された左右の外フラップ８のそれぞれが垂直に折れ曲がる又は垂れ下がるように、天板５と該左右の外フラップ８のそれぞれとの折目線に沿ってブランク１が谷折りされる。
【００４７】
また、接着片６が、これに連設された後側の側壁板４に対して垂直に折り曲げられるように、接着片６と側壁板４との折目線を介してブランク１が谷折りされる。また、天板５がこれに連接設された前側の側壁板３に対して垂直に折り曲げられるように、天板５と側壁板３との折目線に沿ってブランク１が谷折りされる。
【００４８】
次に、天板５の左右の外フラップ８と、側壁板３、４の左右の内フラップ７の上部とがそれぞれ重ね合わせられて接着されるとともに、接着片６と天板５とが重ね合わせられて接着される。これにより、包装箱１６の上部も構成され、図２Ａに示すような包装箱１６が完成する。
【００４９】
すなわち、包装箱１６は、四角筒状の胴部と、この胴部の両端を閉塞する一対の閉塞部とを備える。胴部は、底板２、前側の側壁板３、後側の側壁板４、及び天板５を順次連ねて構成されている。
【００５０】
閉塞部は、前側及び後側の側壁板３、４の左方及び右方の端縁にそれぞれ連設され、内方に延びる各内フラップ７と、底板２及び天板５の左方及び右方の端縁にそれぞれ連設され、内方に延びて内フラップ７の外側に固定された各外フラップ８とにより形成されている。
【００５１】
この完成した包装箱１６において、各第３切断補助線１１ａは、該第３切断補助線１１ａが設けられた内フラップ７に接着された２つの外フラップ８の対向する先端縁の間に位置している。各第３切断補助線１１ｂも同様に、該第３切断補助線１１ｂが設けられた内フラップ７に接着されている２つの外フラップ８の対向する先端縁の間に位置している。
（商品の陳列方法）
この包装箱１６の一部を利用して商品陳列用の上部トレーを形成することができる。その場合には、まず、各側壁板３及び４の第１切断補助線９及び右側の第２切断補助線１０ａ、並びに各側壁板３及び４の右側の内フラップ７の第３切断補助線１１ａに沿って、各側壁板３及び４並びに右側の各内フラップ７を切断する。
【００５２】
この切断に際しては、各側壁板３及び４の右側の指掛部１２の箇所で各側壁板３及び４を局所的に内側に押し込むことによって当該押し込んだ部分を各側壁板３及び４の切断の手掛かりとすることができる。この切断により、図２Ｂに示すように、包装箱１６の天板５を除く右側の上部が、下部から分離された状態となる。
【００５３】
次に、天板５を、折目線部１３に沿って１８０°折り曲げることにより、天板５の折目線部１３より右側の部分を左側の部分に折り返す。このとき、舌片１４ａ及び１４ｂは、折目線部１３を挟んで対応する箇所に配置されているので、上下に重なり合う。
【００５４】
この状態で、重なっている舌片１４ａ及び１４ｂをまとめて下方に押し下げることにより、舌片１４ｂが下方に移動した後の穴に舌片１４ａが嵌入して固定され、図２Ｃのように、商品陳列用の上部トレー１７が完成する。このとき、包装箱１６の右側に収納されていた商品１８は上部が露出した状態となるので、容易に取り出して、図２Ｄのように上部トレー１７上に陳列することができる。
【００５５】
包装箱１６のうちの上部トレー１７を形成している部分以外の部分は、下部トレーとして、商品１８を陳列するために使用することができる。すなわち、商品１８を上下二段のトレーにより陳列することができる。
【００５６】
完成した上部トレー１７の両側の側壁１９は、切断前には下方に凹んでいた第２切断補助線１０ａよりも上側の側壁板３及び４の部分で構成されるため、上方に凸んだ形状を有する。したがって、上部トレー１７上に陳列される商品１８は、上部トレー１７の前を通り過ぎる顧客により触れられたような場合でも、側壁１９を超えて落下し難い。
【００５７】
また、このような包装箱では、底板２及び天板５が左右方向に長く前後方向に短いのが一般的である。包装箱１６がこのような寸法を有する場合には、上部トレー１７は、天板５の左右方向に沿って設けられた折目線部又は切断補助線に沿って折り曲げて形成される従来の上部トレーよりも、両側壁１９間の幅が小さくかつ奥行きが大きい。
【００５８】
この場合、上述のように上部トレー１７の両側面が上方に凸んだ形状を有することは、商品１８が落下するリスクを低減させるためには特に有効に作用する。
【００５９】
以上のように、本実施形態によれば、第１切断補助線９、第２切断補助線１０ａ及び第３切断補助線１１ａが上記のような形態を有するので、包装箱１６から形成された上部トレー１７の側壁１９の高さは、天板５側の外フラップ８の高さ方向の長さより大きい。このため、上部トレー１７に陳列される商品１８が落下するリスクを低減させ、かつ上部トレー１７の幅方向の省スペース化を図ることができる。
【００６０】
特に、上部トレー１７の両側壁１９を構成する側壁板３及び４に第２切断補助線１０ａが形成されるので、両側壁が内フラップと外フラップで構成される従来の上部トレーに比べて、第２切断補助線１０ａの大きさや形状を高い自由度で選定することができる。これにより、陳列される商品１８が落下するリスクを、商品１８の高さなどに応じてより効果的に低減させることができる。
【００６１】
また、上部トレー１７の側壁１９は、第２切断補助線１０ａの形状に対応して中央部が高く、そこから両端に向かって漸次下方に向かって延びる形状を有し、下部トレーの側壁はこれと対称形をなす。このため、上部トレー１７及び下部トレーを用いて商品１８の陳列を行う際には、好ましい意匠的効果を得ることができる。
【００６２】
また、各側壁板３、４には、第２切断補助線１０ａの最下部と、指掛用切断補助線１２ａとを含んで構成される指掛部１２が設けられている。このため、第２切断補助線１０ａの最下部又は／及び指掛用切断補助線１２ａを切断して、指掛部１２に指を挿入し、側壁板３、４を外方に引っ張ることにより、第２切断補助線１０ａを最下部から漸次上方に向かって順次切断していくことができる。
【００６３】
また、各側壁板３、４の第１切断補助線９及び左側の第２切断補助線１０ｂ、並びに左側の内フラップ７の第３切断補助線１１ｂに沿って、各側壁板３、４並び該内フラップ７を切断して、天板５を折り返すこともできる。これによっても、上記の上部トレー１７と同様の上部トレーを形成することができる。
【００６４】
以上、本発明の実施形態について説明したが、本発明はこれに限定されない。例えば、第２切断補助線１０ｂ及び第３切断補助線１１ｂは設けなくてもよい。
【００６５】
また、側壁板３、４の指掛部は、上述の指掛部１２に限られず、第２切断補助線１０ａの最下部に対応する側壁板３、４の部分に指を挿入することを容易にするものであれば、他の形態のもの、例えば図３に示すような指掛部２０であってもよい。
【００６６】
指掛部２０は、第２切断補助線１０ａの最下部と、２つの指掛用折目線２１とで、当該最下部の部分を底辺として下方に頂点を有する略三角形を構成し、該頂点から底辺に指掛用切断補助線２２を垂直に下したような形態を有する。この場合も、指掛部２０に指を挿入し、側壁板３、４を外方に引っ張ることにより、第２切断補助線１０ａに沿って側壁板３、４を容易に切断することができる。
【符号の説明】
【００６７】
１…ブランク、２…底板、３、４…側壁板、５…天板、６…接着片、７…内フラップ、８…外フラップ、９…第１切断補助線、１０ａ…第２切断補助線、１０ｂ…第４切断補助線、１１ａ…第３切断補助線、１１ｂ…第５切断補助線、１２、２０…指掛部、１２ａ、２２…指掛用切断補助線、１２ｂ、２１…指掛用折目線、１３…折目線部、１４ａ、１４ｂ…舌片、１５…切込線、１６…包装箱、１７…上部トレー、１８…商品、１９…側壁。
【図１】
2019137448.tif 000003
【図２】
2019137448.tif 000004
【図３】
2019137448.tif 000005